(57)【要約】【課題】本発明に係るダブルファスナーロックは、ボルトをシリンダーの両側に均一に配設するとともに内部伝動機構を新たに設計することにより新しいダブルファスナーロックが形成され、新規構造を有し、作動も安定し、ファスナーロックの種類を多様化にすることができる。【解決手段】本発明のダブルファスナーロックは、上カバーと下カバーからなり、上カバーと下カバーの間に収容空間が形成され、上カバーに一つの第一スルホールが配設されるカバーと、収容空間に可動的に取付けられ、第一ホール、第二ホールと位置止め溝が配設される解錠ブロックと、下部に第一ホールを挿設するための第一押しレバーが配設される外殻、及び外殻の裏側に回動自在に取付けられ、下部に第二ホールを挿設するための第二押しレバーが配設されるシリンダー本体からなるシリンダーモジュールと、収容空間に摺動自在に取付けられ、上記位置止め溝と配合するための一つの位置止め板が配設されるボルト装置とを含む。【選択図】図１
2015094215.tif 000002
【特許請求の範囲】
【請求項１】
上カバーと下カバーからなり、上カバーと下カバーの間に収容空間が形成され、上カバーに一つの第一スルホールが配設されるカバーと、
前記収容空間に可動的に取付けられ、底部に第一ホールと第二ホールが配設される取付溝が配設され、前記取付溝の外壁に少なくとも二つの位置止め溝が配設される解錠ブロックと、
前記取付溝に取付けられ、下部に前記第一ホールを挿設するための第一押しレバーが配設される外殻、及び前記外殻の裏側に回動自在に取付けられ、下部に前記第二ホールを挿設するための第二押しレバーが配設されるシリンダー本体からなるシリンダーモジュールと、
前記収容空間に摺動自在に取付けられ、前記シリンダーモジュールの両側に均一に配設され、前記位置止め溝と配合するための位置止め板が一つずつ配設された若干のボルト装置とを含むことを特徴とするダブルファスナーロック。
【請求項２】
前記ボルト装置は、
前記上カバーに配設される第二スルホールと、
前記収容空間に摺動自在に取付けられ、第一連接棒、第二連接棒及び前記位置止め板を含み、前記第二連接棒の両端がそれぞれ前記第一連接棒と前記位置止め板と接続する伝動モジュールと、
前記第一連接棒に固設されるボルト本体と、
前記収容空間に固設される補助板と、
前記位置止め板と前記補助板との間に、或いは前記第一連接棒と前記収容空間の内壁との間に配設される第一バネとを含むことを特徴とする請求項１に記載のダブルファスナーロック。
【請求項３】
前記ボルト装置は、前記下カバーに配設される突起部と配合するための引掛り部が下部に配設された昇降ブロックを含むことを特徴とする請求項２に記載のダブルファスナーロック。
【請求項４】
前記ボルト装置は、一端が前記下カバーに当接し、他端が前記昇降ブロックに当接する第二バネを含むことを特徴とする請求項３に記載のダブルファスナーロック。
【請求項５】
前記位置止め溝は二つ配設されることを特徴とする請求項２に記載のダブルファスナーロック。
【請求項６】
前記外殻は前記第一スルホールから前記上カバーの外側に延在し、前記上カバーの外側に延在した部分には一つの押しボタンが固設されることを特徴とする請求項１に記載のダブルファスナーロック。
【請求項７】
前記ボルト装置は四つ配設され、一つの前記位置止め溝が二つの前記位置止め板と配合することができることを特徴とする請求項５に記載のダブルファスナーロック。
【発明の詳細な説明】
【技術分野】
【０００１】
本発明はロック技術に係わり、特に一つの押しボタンのみを介して２セットのボルトをそれぞれ制御して従動させることができるダブルファスナーロックに関する。
【背景技術】
【０００２】
従来のスーツケースはファスナーをロックするためのダブルファスナーロックが搭載されているが、このようなダブルファスナーロックは二つの押しボタンを介して２セットのボルトをそれぞれ制御して従動させるため構造が複雑になる。これに対して、本発明は一つの押しボタンのみを介して２セットのボルトをそれぞれ制御して従動させることができるダブルファスナーロックを提供する。
【発明の概要】
【発明が解決しようとする課題】
【０００３】
上記問題を解決するため、本発明は一つの押しボタンのみを介して２セットのボルトをそれぞれ制御して従動させることができるダブルファスナーロックを提供する。
【課題を解決するための手段】
【０００４】
本発明はその技術問題を解決するため下記の技術方案を採用する。
【０００５】
本発明のダブルファスナーロックは、上カバーと下カバーからなり、上カバーと下カバーの間に収容空間が形成され、上カバーに一つの第一スルホールが配設されるカバーと、上記収容空間に可動的に取付けられ、底部に第一ホールと第二ホールが配設される取付溝が配設され、上記取付溝の外壁に少なくとも二つの位置止め溝が配設される解錠ブロックと、上記取付溝に取付けられ、下部に上記第一ホールを挿設するための第一押しレバーが配設される外殻、及び上記外殻の裏側に回動自在に取付けられ、下部に上記第二ホールを挿設するための第二押しレバーが配設されるシリンダー本体からなるシリンダーモジュールと、上記収容空間に摺動自在に取付けられ、上記シリンダーモジュールの両側に均一に配設され、上記位置止め溝と配合するための位置止め板が一つずつ配設される若干のボルト装置とを含む。
【０００６】
上記ボルト装置は、上記上カバーに配設される第二スルホールと、上記収容空間に摺動自在に取付けられ、第一連接棒、第二連接棒及び上記位置止め板を含み、上記第二連接棒の両端がそれぞれ上記第一連接棒と上記位置止め板と接続する伝動モジュールと、上記第一連接棒に固設されるボルト本体と、上記収容空間に固設される補助板と、上記位置止め板と補助板との間に、或いは上記第一連接棒と上記収容空間の内壁との間に配設される第一バネとを含む。
【０００７】
更に、上記ボルト装置は、上記下カバーに配設される突起部と配合するための引掛り部が下部に配設された昇降ブロックを含む。
【０００８】
更に、上記ボルト装置は、一端が上記下カバーに当接し、他端が上記昇降ブロックに当接する第二バネを含む。
【０００９】
上記位置止め溝は二つ配設される。
【００１０】
上記外殻は上記第一スルホールから上記上カバーの外側に延在し、上記上カバーの外側に延在した部分には一つの押しボタンが固設される。
【００１１】
上記ボルト装置は四つ配設され、一つの上記位置止め溝が二つの上記位置止め板と配合することができる。
【発明の効果】
【００１２】
本発明の効果は、ボルトをシリンダーの両側に均一に配設するとともに内部伝動機構を新たに設計することにより新しいダブルファスナーロックが形成され、一つの押しボタンのみを介して同時に四つのボルト装置を制御して従動させることを実現し、押しボタンが左へ押されると左側のボルト装置が解錠状態へ作動し、右側のボルト装置がそのまま保持されるが、押しボタンが右へ押されると右側のボルト装置が解錠状態へ作動し、左側のボルト装置がそのまま保持される。本発明に係るダブルファスナーロックは新規構造を有し、作動も安定する。
【図面の簡単な説明】
【００１３】
以下は図面と実施形態を参照して本発明について詳しく説明する。
【図１】本発明に係るダブルファスナーロックの見取り図である。
【図２】本発明に係るダブルファスナーロックの分解見取り図一である。
【図３】本発明に係るダブルファスナーロックの分解見取り図二である。
【図４】本発明に係るダブルファスナーロックの閉める状態の見取り図である。
【図５】本発明に係るダブルファスナーロックの開ける状態の見取り図である。
【発明を実施するための形態】
【００１４】
図１−図５を参照し、本発明のダブルファスナーロックは、上カバー１１と下カバー１２からなり、上カバー１１と下カバー１２の間に収容空間が形成され、上カバー１１に一つの第一スルホール１３が配設されるカバーと、上記収容空間に可動的に取付けられ、底部に第一ホール２１と第二ホール２２が二つずつ配設される取付溝２４が配設され、取付溝２４の外壁に二つの位置止め溝２３が対向に配設される解錠ブロック２と、取付溝２４に取付けられ、下部に第一ホール２１を挿設するための第一押しレバー３３が２本配設され、第一押しレバー３３と第一ホール２１との配合により解錠ブロック２を駆動して平行に移動させることができる（解錠ブロック２の回動が外殻３２に対して逆効果を起こさないように第一ホール２１の直径が第一押しレバー３３よりずっと大きくなる）外殻３２、及び外殻３２の裏側に回動自在に取付けられ、下部に第二ホール２２を挿設するための第二押しレバー３４が２本配設され、第二押しレバー３４と第二ホール２２との配合により解錠ブロック２を駆動して回動させることができるシリンダー本体３１からなるシリンダーモジュールと、上記シリンダーモジュールを押し付けるため、外殻３２は第一スルホール１３から上記上カバーの外側に延在し、上記上カバーの外側に延在した端部に固設される一つの押しボタン３５と、上記収容空間に摺動自在に取付けられ、上記シリンダーモジュールの両側に均一に配設され、位置止め溝２３と配合するための位置止め板４４が一つずつ配設される四つのボルト装置と、を含む。
【００１５】
上記構造を採用した本発明の作動原理は、鍵を挿入してシリンダー本体３１を回動させることにより第二押しレバー３４が従動させられ、第二押しレバー３４と第二ホール２２との配合により解錠ブロック２を駆動して回動させるとともに位置止め板４４と位置止め溝２３が離れ、そして外殻の押しボタン３５を押し、第一押しレバー３３と第一ホール２１との配合により解錠ブロック２を駆動して左または右へ移動させることにより、左側または右側のボルト装置を従動させ、ファスナーに対する施錠と解錠を実現する。本発明に係るダブルファスナーロックは新規構造を有し、作動も安定し、ファスナーロックの種類を多様化にすることができる。
【００１６】
以上により、本発明は一つの押しボタンのみを介して四つのボルト装置をそれぞれ制御して従動させることができるダブルファスナーロックを提供する。
【００１７】
図面に示すように、ボルト装置は下記の実施形態を採用することができ、具体的には、上カバー１１に配設される第二スルホール４１と、上記収容空間に摺動自在に取付けられ、第一連接棒４２、第二連接棒４３及び位置止め板４４を含み、第二連接棒４３の両端がそれぞれ第一連接棒４２と位置止め板４４と接続し溝型のフレームを形成する伝動モジュールと、第一連接棒４２に固設し、上記シリンダーモジュールの両側に均一に配設され、第二スルホール４１と対応するボルト本体４５と、上記収容空間に固設され、上記溝型のフレームの中に位置する補助板４６と、４本配設され、その中の２本は位置止め板４４と補助板４６との間に、ほかの２本は第一連接棒４２と上記収容空間の内壁との間に配設され、外力が付加されない時にボルト本体４５と補助板４６との接触状態を保持させる第一バネ４７と、を含む。
【００１８】
上記構造を採用した本発明の作動原理は、位置止め板４４と位置止め溝２３が離れてから外殻３２を押し、外殻３２と位置止め板４４との接触状態が保持され、上記伝動モジュールを押し、そしてボルト本体４５を従動させる。位置止め板４４と位置止め溝２３が離れていない状態で外殻３２を左へ押すと、右側のボルト本体４５が補助板４６に当接するため押し動かせないが、同様に右へ押すと、左側のボルト本体４５が補助板４６に当接するため押し動かせないため、位置止め板４４と位置止め溝２３が離れてから押さなければならない。
【００１９】
図面に示すように、上記ボルト装置は、下カバー１２に配設される突起部と配合するための引掛り部４８１が下部に配設された四つの昇降ブロック４８と、一端が下カバー１２に当接し、他端が昇降ブロック４８の下部に当接する四つの第二バネ４９とからなる。第二バネ４９により昇降ブロック４８と突起部との接触が保持されるため、ファスナーとボルト本体４５との接触状態を維持することができ、ケースが運ばれる時にファスナーがボルト本体４５にぶつかるのを防止し、騒音低減の効果を収めるとともにファスナーとボルト本体の使用寿命を延長することができる。
【００２０】
本発明は上記実施形態に限られるものではなく、他の実施形態を採用することもできる。当業者であれば本発明の趣旨を逸脱しないことを前提として同等な修正または変更を実施することが可能であるが、それらの同等な修正または変更はいずれも本発明の請求の範囲が限定する範囲内に含まれるものとする。
【符号の説明】
【００２１】
１１：上カバー
３１：シリンダー本体
３５：押しボタン
４１：第二スルホール
４５：ボルト本体
【図１】
2015094215.tif 000003
【図２】
2015094215.tif 000004
【図３】
2015094215.tif 000005
【図４】
2015094215.tif 000006
【図５】
2015094215.tif 000007
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
ファスナーに対する施錠と解錠を実現するダブルファスナーロックにおいて、
上カバー（１１）と下カバー（１２）からなり、上カバーと下カバーの間に収容空間が形成され、上カバーに一つの第一スルホール（１３）が配設されるカバーと、
前記収容空間に可動的に取付けられ、底部に第一ホール（２１）と第二ホール（２２）が配設される取付溝（２４）が配設され、前記取付溝の外壁に二つの位置止め溝（２３）が配設される解錠ブロック（２）と、
前記取付溝に取付けられ、下部に前記第一ホールを挿設するための第一押しレバー（３３）が２本配設され、前記第一押しレバーと前記第一ホールとの配合により前記解錠ブロックを駆動して平行に移動させる外殻（３２）、及び前記外殻の裏側に回動自在に取付けられ、下部に前記第二ホールを挿設するための第二押しレバー（３４）が２本配設され、前記第二押しレバーと前記第二ホールとの配合により前記解錠ブロックを駆動して回動させるシリンダー本体（３１）からなるシリンダーモジュールと、
前記シリンダーモジュールを押しつけるため、前記外殻は前記第一スルホールから前記上カバーの外側に延在し、前記上カバーの外側に延在した端部に固設され、前記第一押しレバーと前記第一ホールとの配合により前記解錠ブロックを駆動して左または右へ移動させる一つの押しボタン（３５）と、
前記収容空間に摺動自在に取付けられ、前記シリンダーモジュールの両側に均一に配設され、前記位置止め溝と配合するための位置止め板（４４）が一つずつ配設されるボルト装置とを含み、
前記ボルト装置は、
前記上カバーに配設される第二スルホールと、
前記収容空間に摺動自在に取付けられ、第一連接棒、第二連接棒及び前記位置止め板を含み、前記第二連接棒の両端がそれぞれ前記第一連接棒と前記位置止め板と接続する伝動モジュールと、
前記第一連接棒に固設し、前記シリンダーモジュールの両側に均一に配設され、前記第二スルホールと対応するボルト本体と、
前記収容空間に固設される補助板と、
４本配設され、その中の２本は前記位置止め板と前記補助板との間に、ほかの２本は前記第一連接棒と前記収容空間の内壁との間に配設され、外力が付加されない時に前記ボルト本体と前記補助板との接触状態を保持させる第一バネと、
前記下カバーに配設される突起部と配合するための引掛り部（４８１）が下部に配設された昇降ブロック（４８）と、
一端が前記下カバーに当接し、他端が前記昇降ブロックに当接する第二バネ（４９）とを含むことを特徴とするダブルファスナーロック。
【請求項２】
前記ボルト装置は四つ配設され、一つの前記位置止め溝が二つの前記位置止め板と配合することができることを特徴とする請求項１に記載のダブルファスナーロック。
【手続補正２】
【補正対象書類名】明細書
【補正対象項目名】全文
【補正方法】変更
【補正の内容】
【発明の詳細な説明】
【技術分野】
【０００１】
本発明はロック技術に係わり、特に一つの押しボタンのみを介して２セットのボルトをそれぞれ制御して従動させることができるダブルファスナーロックに関する。
【背景技術】
【０００２】
従来のスーツケースはファスナーをロックするためのダブルファスナーロックが搭載されているが、このようなダブルファスナーロックは二つの押しボタンを介して２セットのボルトをそれぞれ制御して従動させるため構造が複雑になる。これに対して、本発明は一つの押しボタンのみを介して２セットのボルトをそれぞれ制御して従動させることができるダブルファスナーロックを提供する。
【発明の概要】
【発明が解決しようとする課題】
【０００３】
上記問題を解決するため、本発明は一つの押しボタンのみを介して２セットのボルトをそれぞれ制御して従動させることができるダブルファスナーロックを提供する。
【課題を解決するための手段】
【０００４】
本発明はその技術問題を解決するため下記の技術方案を採用する。
【０００５】
ファスナーに対する施錠と解錠を実現する本発明のダブルファスナーロックにおいて、上カバーと下カバーからなり、上カバーと下カバーの間に収容空間が形成され、上カバーに一つの第一スルホールが配設されるカバーと、上記収容空間に可動的に取付けられ、底部に第一ホールと第二ホールが配設される取付溝が配設され、上記取付溝の外壁に二つの位置止め溝が配設される解錠ブロックと、上記取付溝に取付けられ、下部に上記第一ホールを挿設するための第一押しレバーが２本配設され、第一押しレバーと第一ホールとの配合により解錠ブロックを駆動して平行に移動させる外殻、及び上記外殻の裏側に回動自在に取付けられ、下部に上記第二ホールを挿設するための第二押しレバーが２本配設され、第二押しレバーと第二ホールとの配合により解錠ブロックを駆動して回動させるシリンダー本体からなるシリンダーモジュールと、上記シリンダーモジュールを押しつけるため、外殻は第一スルホールから上カバーの外側に延在し、上カバーの外側に延在した端部に固設され、第一押しレバーと第一ホールとの配合により解錠ブロックを駆動して左または右へ移動させる一つの押しボタンと、上記収容空間に摺動自在に取付けられ、上記シリンダーモジュールの両側に均一に配設され、上記位置止め溝と配合するための位置止め板が一つずつ配設されるボルト装置とを含み、上記ボルト装置は、上記上カバーに配設される第二スルホールと、上記収容空間に摺動自在に取付けられ、第一連接棒、第二連接棒及び上記位置止め板を含み、上記第二連接棒の両端がそれぞれ上記第一連接棒と上記位置止め板と接続する伝動モジュールと、上記第一連接棒に固設し、シリンダーモジュールの両側に均一に配設され、第二スルホールと対応するボルト本体と、上記収容空間に固設される補助板と、４本配設され、その中の２本は上記位置止め板と補助板との間に、ほかの２本は上記第一連接棒と上記収容空間の内壁との間に配設され、外力が付加されない時にボルト本体と補助板との接触状態を保持させる第一バネと、下カバーに配設される突起部と配合するための引掛り部が下部に配設された昇降ブロックと、一端が下カバーに当接し、他端が昇降ブロックに当接する第二バネとを含む。
【０００６】
上記ボルト装置は四つ配設され、一つの上記位置止め溝が二つの上記位置止め板と配合することができる。
【発明の効果】
【０００７】
本発明の効果は、ボルトをシリンダーの両側に均一に配設するとともに内部伝動機構を新たに設計することにより新しいダブルファスナーロックが形成され、一つの押しボタンのみを介して同時に四つのボルト装置を制御して従動させることを実現し、押しボタンが左へ押されると左側のボルト装置が解錠状態へ作動し、右側のボルト装置がそのまま保持されるが、押しボタンが右へ押されると右側のボルト装置が解錠状態へ作動し、左側のボルト装置がそのまま保持される。本発明に係るダブルファスナーロックは新規構造を有し、作動も安定する。
【図面の簡単な説明】
【０００８】
以下は図面と実施形態を参照して本発明について詳しく説明する。
【図１】本発明に係るダブルファスナーロックの見取り図である。
【図２】本発明に係るダブルファスナーロックの分解見取り図一である。
【図３】本発明に係るダブルファスナーロックの分解見取り図二である。
【図４】本発明に係るダブルファスナーロックの閉める状態の見取り図である。
【図５】本発明に係るダブルファスナーロックの開ける状態の見取り図である。
【発明を実施するための形態】
【０００９】
図１−図５を参照し、本発明のダブルファスナーロックは、上カバー１１と下カバー１２からなり、上カバー１１と下カバー１２の間に収容空間が形成され、上カバー１１に一つの第一スルホール１３が配設されるカバーと、上記収容空間に可動的に取付けられ、底部に第一ホール２１と第二ホール２２が二つずつ配設される取付溝２４が配設され、取付溝２４の外壁に二つの位置止め溝２３が対向に配設される解錠ブロック２と、取付溝２４に取付けられ、下部に第一ホール２１を挿設するための第一押しレバー３３が２本配設され、第一押しレバー３３と第一ホール２１との配合により解錠ブロック２を駆動して平行に移動させることができる（解錠ブロック２の回動が外殻３２に対して逆効果を起こさないように第一ホール２１の直径が第一押しレバー３３よりずっと大きくなる）外殻３２、及び外殻３２の裏側に回動自在に取付けられ、下部に第二ホール２２を挿設するための第二押しレバー３４が２本配設され、第二押しレバー３４と第二ホール２２との配合により解錠ブロック２を駆動して回動させることができるシリンダー本体３１からなるシリンダーモジュールと、上記シリンダーモジュールを押し付けるため、外殻３２は第一スルホール１３から上記上カバーの外側に延在し、上記上カバーの外側に延在した端部に固設される一つの押しボタン３５と、上記収容空間に摺動自在に取付けられ、上記シリンダーモジュールの両側に均一に配設され、位置止め溝２３と配合するための位置止め板４４が一つずつ配設される四つのボルト装置と、を含む。
【００１０】
上記構造を採用した本発明の作動原理は、鍵を挿入してシリンダー本体３１を回動させることにより第二押しレバー３４が従動させられ、第二押しレバー３４と第二ホール２２との配合により解錠ブロック２を駆動して回動させるとともに位置止め板４４と位置止め溝２３が離れ、そして外殻の押しボタン３５を押し、第一押しレバー３３と第一ホール２１との配合により解錠ブロック２を駆動して左または右へ移動させることにより、左側または右側のボルト装置を従動させ、ファスナーに対する施錠と解錠を実現する。本発明に係るダブルファスナーロックは新規構造を有し、作動も安定し、ファスナーロックの種類を多様化にすることができる。
【００１１】
以上により、本発明は一つの押しボタンのみを介して四つのボルト装置をそれぞれ制御して従動させることができるダブルファスナーロックを提供する。
【００１２】
図面に示すように、ボルト装置は下記の実施形態を採用することができ、具体的には、上カバー１１に配設される第二スルホール４１と、上記収容空間に摺動自在に取付けられ、第一連接棒４２、第二連接棒４３及び位置止め板４４を含み、第二連接棒４３の両端がそれぞれ第一連接棒４２と位置止め板４４と接続し溝型のフレームを形成する伝動モジュールと、第一連接棒４２に固設し、上記シリンダーモジュールの両側に均一に配設され、第二スルホール４１と対応するボルト本体４５と、上記収容空間に固設され、上記溝型のフレームの中に位置する補助板４６と、４本配設され、その中の２本は位置止め板４４と補助板４６との間に、ほかの２本は第一連接棒４２と上記収容空間の内壁との間に配設され、外力が付加されない時にボルト本体４５と補助板４６との接触状態を保持させる第一バネ４７と、を含む。
【００１３】
上記構造を採用した本発明の作動原理は、位置止め板４４と位置止め溝２３が離れてから外殻３２を押し、外殻３２と位置止め板４４との接触状態が保持され、上記伝動モジュールを押し、そしてボルト本体４５を従動させる。位置止め板４４と位置止め溝２３が離れていない状態で外殻３２を左へ押すと、右側のボルト本体４５が補助板４６に当接するため押し動かせないが、同様に右へ押すと、左側のボルト本体４５が補助板４６に当接するため押し動かせないため、位置止め板４４と位置止め溝２３が離れてから押さなければならない。
【００１４】
図面に示すように、上記ボルト装置は、下カバー１２に配設される突起部と配合するための引掛り部４８１が下部に配設された四つの昇降ブロック４８と、一端が下カバー１２に当接し、他端が昇降ブロック４８の下部に当接する四つの第二バネ４９とからなる。第二バネ４９により昇降ブロック４８と突起部との接触が保持されるため、ファスナーとボルト本体４５との接触状態を維持することができ、ケースが運ばれる時にファスナーがボルト本体４５にぶつかるのを防止し、騒音低減の効果を収めるとともにファスナーとボルト本体の使用寿命を延長することができる。
【００１５】
本発明は上記実施形態に限られるものではなく、他の実施形態を採用することもできる。当業者であれば本発明の趣旨を逸脱しないことを前提として同等な修正または変更を実施することが可能であるが、それらの同等な修正または変更はいずれも本発明の請求の範囲が限定する範囲内に含まれるものとする。
【符号の説明】
【００１６】
１１：上カバー
３１：シリンダー本体
３５：押しボタン
４１：第二スルホール
４５：ボルト本体